(57)【要約】【課題】空容器収納箱において空容器収納箱から空容器が溢れ出すのを防止するとともに、空容器を回収する際にも空容器収納箱に収納されている空容器の回収をスムーズに行なうことができる空容器回収ボックスを提供することを目的とする。【解決手段】本体キャビネット１の内部に空容器収容領域８を設けて空容器収納箱１３を収容するとともに、前記本体キャビネット１の前面を開閉する外扉２に前記空容器収容領域８に連通する空容器投入口１０を備えた空容器回収ボックスであって、前記空容器収納箱１３を空容器の出入り口となる上面が開放した箱体として形成し、前記空容器収納箱１３の上面を覆う態様で前記空容器投入口１０から投入された空容器を前記空容器収納箱１３に導く容器受容口を備えた容器収容規制板７を前記本体キャビネット１側に固定し、前記容器収容規制板７を空容器収納箱１３の蓋としての機能を持たせた。【選択図】図２
2012086973.tif 000002
【特許請求の範囲】
【請求項１】
本体キャビネット内部に空容器収容領域を設けて空容器収納箱を収容するとともに、前記本体キャビネットの前面を開閉する外扉に前記空容器収容領域に連通する空容器投入口を備えた空容器回収ボックスにおいて、
前記空容器収納箱は空容器の出入り口となる上面が開放した箱体として形成され、前記空容器収納箱の上面を覆う態様であって、前記空容器投入口から投入された空容器を前記空容器収納箱に導く容器受容口を備えた容器収容規制板を前記本体キャビネット側に固定してなることを特徴とする空容器回収ボックス。
【請求項２】
前記空容器収納箱は、前記本体キャビネット内部の前記空容器収容領域から引き出し自在であることを特徴とする請求項１に記載の空容器回収ボックス。
【請求項３】
前記本体キャビネットの空容器収納領域には少なくとも前記本体キャビネットの内壁を保護するように形成され、前面および上面が開放した前記内箱を有してなり、前記内箱の上面を覆う態様で前記容器収容規制板を前記内箱に一体的に取り付けてなることを特徴とする請求項１または請求項２に記載の空容器回収ボックス。
【請求項４】
前記容器収容規制板は、空容器投入口と連通するように前面が開口するとともに上方に向けて突出した逆Ｕ字状の容器受容口と、この逆Ｕ字状の容器受容口に連ねて空容器収納箱の上面を覆う態様の規制部とからなることを特徴とする請求項１乃至請求項３のいずれかに記載の空容器回収ボックス。
【発明の詳細な説明】
【技術分野】
【０００１】
この発明は缶飲料、ペットボトル飲料などの空容器を収容する空容器回収ボックスに関するものである。
【背景技術】
【０００２】
缶飲料やペットボトル飲料などの空容器は、資源の節約や不法投棄による環境汚染防止のために回収される。このような空容器の回収のために通常は、自動販売機の近傍に回収用の空容器入れ専用のごみ箱を設置しているのが一般的である。ところで、空容器内には飲料が付着して残るとともに飲み干さずに棄てられることもあり、棄てられた空容器から残り飲料が流れ出したり、残り飲料によって臭気が発生する。このため、ただ単に空容器を回収するごみ箱では、空容器から流れ出した残り飲料が周囲を汚染したり、虫が群がったり、臭気が漂うおそれがある。そこで、空容器収納箱を収納することができる自動販売機用補助ボックスが知られている。（例えば、特許文献１）
また、空容器収納箱を自動販売機に内蔵した空容器収納箱内蔵型自動販売機が知られている。（例えば、特許文献２）
【先行技術文献】
【特許文献】
【０００３】
【特許文献１】登録実用新案第３０００３４２号公報
【特許文献２】特開２００８−２０４３０８号公報
【発明の概要】
【発明が解決しようとする課題】
【０００４】
上記特許文献１に記載された自動販売機用補助ボックスにおいては、補助ボックス本体の内部に空容器収納箱を設け、補助ボックスの外扉に空容器投入口を設けたものである。
【０００５】
この自動販売機用補助ボックスは、空容器収納箱を補助ボックス本体の内部に敷設しているが空容器収納箱に蓋を設けておらず、空容器投入口から投入された空容器が空容器収納箱に貯蔵されていき、空容器収納箱が満杯になる前に空容器を回収しないと、空容器収納箱から空容器が溢れ出してしまうおそれがある。またそうなると空容器を回収しようとして外扉を開けたとたんに空容器収納箱からあふれだした空容器がこぼれだし、空容器収納箱外部へ散乱してしまうおそれがある。
【０００６】
上記特許文献２に記載された空容器回収ボックス内蔵型自動販売機においては、自動販売機の筐体（箱、箱状または筒状の囲い、およびハウジングを含む）の内部に空容器収納箱を設け、自動販売機の外扉前面に空容器投入口を設けたものである。
【０００７】
その空容器収納箱は空容器収納箱本体と蓋体とから構成され、その蓋体は空容器収納箱本体に被せてある。このようにその蓋体は空容器収納箱本体に被せてあるため、空容器を回収する際はその都度蓋体を取り外す必要があり、また空容器の回収が完了した後は再度空容器収納箱本体に蓋を被せてから内蔵させる必要があった。
【０００８】
本発明は、上記実情に鑑みてなされたものであり、その目的は前記課題を解決し、空容器収納箱は、直接被される蓋体を不要としつつ空容器収納箱から空容器が溢れ出すのを防止するとともに、空容器を回収する際にも、空容器収納箱に収納されている空容器の回収をスムーズに行なうことができる空容器回収ボックスを提供することを目的とする。
【課題を解決するための手段】
【０００９】
上記課題を達成するために、請求項１に係る発明は、本体キャビネット内部に空容器収容領域を設けて空容器収納箱を収容するとともに、前記本体キャビネットの前面を開閉する外扉に前記空容器収容領域に連通する空容器投入口を備えた空容器回収ボックスにおいて、前記空容器収納箱は空容器の出入り口となる上面が開放した箱体として形成され、前記空容器収納箱の上面を覆う態様であって、前記空容器投入口から投入された空容器を前記空容器収納箱に導く容器受容口を備えた容器収容規制板を前記本体キャビネット側に固定してなることを特徴とする。
【００１０】
また、請求項２に係る発明は、請求項１記載の空容器回収ボックスにおいて、前記本体キャビネット内部の前記空容器収容領域から引き出し自在であることを特徴とする。
【００１１】
また、請求項３に係る発明は、請求項１記載の空容器回収ボックスにおいて、前記本体キャビネットの空容器収納領域には少なくとも前記本体キャビネットの内壁を保護するように形成され、前面および上面が開放した前記内箱を有してなり、前記内箱の上面を覆う態様で前記容器収容規制板を前記内箱に一体的に取り付けてなることを特徴とする。
【００１２】
また、請求項４に係る発明は、請求項１記載の空容器回収ボックスにおいて、前記容器収容規制板は、空容器投入口と連通するように前面が開口するとともに上方に向けて突出した逆Ｕ字状の容器受容口と、この逆Ｕ字状の容器受容口に連ねて空容器収納箱の上面を覆う態様の規制部とからなることを特徴とする。
【発明の効果】
【００１３】
本発明の請求項１に係る空容器回収ボックスによれば、前記空容器収納箱は空容器の出入り口となる上面が開放した箱体として形成され、前記空容器収納箱の上面を覆う態様であって、前記空容器投入口から投入された空容器を前記空容器収納箱に導く容器受容口を備えた容器収容規制板を前記本体キャビネット側に固定してなることにより、前記容器収容規制板は前記空容器収納箱の蓋としての機能を有する。そのため万が一前記空容器収納箱に収納された空容器が満杯となった場合においても、前記空容器が前記空容器収納箱から溢れ出したりすることを防止できる。
【００１４】
本発明の請求項２に係る空容器回収ボックスによれば、請求項１記載の空容器回収ボックスにおいて、前記空容器収納箱は、前記本体キャビネット内部の前記空容器収容領域から引き出し自在に収容されていることにより、空容器を回収するために前記空容器収納箱を引き出した際にも、前記空容器収納箱の上部を覆う態様で設けられた前記容器収容規制板は、前記本体キャビネット側に固定されているため、前記空容器収納箱のみを引き出すことが可能となり、前記空容器を回収する際、従来装置のように空容器収納箱から蓋体を取り外す手間が省ける。また、前記空容器を回収した後に前記空容器収納箱を再収容する際にも、取り外した蓋体を再度取付けたり、取付け忘れを防止することができる。
【００１５】
本発明の請求項３に係る空容器回収ボックスによれば、請求項１または請求項２記載の空容器回収ボックスにおいて、前記本体キャビネットの空容器収納領域には少なくとも前記本体キャビネットの内壁を保護するように形成され、前面および上面が開放した内箱を有してなり、前記内箱の上面を覆う態様で前記容器収容規制板を前記内箱に一体的に取り付けてなることにより、前記内箱は前記空容器収納箱の引き出しおよび収容する際に前記本体キャビネットを傷付けるのを防止でき、万が一外扉の空容器投入口から投入された空容器に飲み残された飲料が入っていて、その飲料が本体キャビネットの空容器収納領域にこぼれた場合でも容易に清掃しやすくすることができる。
【００１６】
本発明の請求項４に係る空容器回収ボックスによれば、請求項１乃至請求項３のいずれかに記載の空容器回収ボックスにおいて、前記容器収容規制板は空容器投入口と連通するように前面が開口するとともに上方に向けて突出した逆Ｕ字状の容器受容口と、この逆Ｕ字状の容器受容口に連ねて空容器収納箱の上面を覆う態様の規制部とからなることにより、前記容器収容規制板は空容器収納箱の蓋としての機能を維持しつつ前記空容器を確実に前記空容器収納箱に収納させることができるという効果を有する。
【図面の簡単な説明】
【００１７】
【図１】図１は、本発明の実施の形態である空容器回収ボックスの全体外観図である。
【図２】図２は、本発明の実施の形態である空容器回収ボックスの外扉を開いた状態を示した全体外観図である。
【図３】図３は、本発明の実施の形態である空容器回収ボックスに内箱を取り付ける過程を示した状態図である。
【図４】図４は、本発明の実施の形態である空容器回収ボックスに取り付けられた内箱に、空容器収納箱を収容する過程を示した状態図である。
【図５】図５は、本発明の実施の形態である空容器回収ボックスに取り付けられた内箱と空容器収納箱の拡大図である。
【図６】図６は、本発明の実施の形態である空容器回収ボックスを側面から見た拡大詳細図である。
【発明を実施するための形態】
【００１８】
以下に添付図面を参照しながら、本発明に係る空容器回収ボックスの好適な実施の形態について詳細に説明する。
【００１９】
図１に示すように、本実施の形態における空容器回収ボックス１は空容器回収ボックス本体をなす本体キャビネット２を有している。本体キャビネット２は、複数の大きな鋼板からなる筐体であり前面が外部に通じて開口した直方状をなしている。
【００２０】
図３に示すように前記本体キャビネット２の内部は中空に形成されている。この空容器収容領域８は、前記本体キャビネット２の中央付近に設けられた仕切板１２により、上部空間領域８ａと下部空間領域８ｂとに仕切られている。本発明においては、前記下部空間領域８ｂが空容器収容領域として使用されている。
【００２１】
上部空間領域８ａは、例えば本発明の空容器収容ボックスを自動販売機に併設させた際などに、自動販売機で販売する商品などの補充用商品保管スペースとして使用することも可能であり、物置用のユーティリティスペースとして活用することもできる。
【００２２】
さて、図３に示すように、前記仕切板１２は矩形周縁が、それぞれ上方に９０度で折り曲げられた前面片１２ａ、背面片１２ｂ、側面片１２ｃを有して浅い箱形に形成され、折り曲げられた背面片１２ｂ及び左右の側面片１２ｃは、本体キャビネット２に溶接結合されている。前面片１２ａは、図４に示すように前記本体キャビネット２に、後述する内箱５を固定ネジ９で取り付け固定するためのものであり、前記固定ネジ９に対応する２ヶ所の貫通孔（不図示）が設けられている。
【００２３】
また、前記本体キャビネット２と中央近傍に設けられた前記仕切板１２が溶接結合されていることにより、前記仕切板１２の剛性強度が向上するとともに、本体キャビネット２においても筐体としての剛性強度が向上する。
【００２４】
また、図１に示すように、前記本体キャビネット２の前面には外扉３が設けてあり、前記外扉３は前記本体キャビネット２の前面開口を覆う態様で複数の大きな鋼板で構成され、本体キャビネット２の右端側でヒンジ結合された片開き式の扉である。
【００２５】
前記外扉３の前面中央より下方には、空容器を前記本体キャビネット２の内部へ投入するための空容器投入口４が設けてある。前記空容器投入口４は、缶飲料、ペットボトル飲料の容器を前記本体キャビネット２の内部へ投入することが可能な大きさに形成されている。
【００２６】
また、空容器投入口４には、図１に示すように前記外扉３の背面に密着するように開閉蓋１０が設けてある。前記開閉蓋１０は、その上部の左右両端を図６に示すピン１４で保持し、付勢バネ（不図示）により常時、前記空容器投入口４を閉塞するように構成されている。それにより空容器内に飲み残しなどで残存している飲料による臭気が、前記空容器収容ボックス１の外部へ漏れだすことを防止することができる。
【００２７】
さらに、図２に示すように、空容器を投入する際に空容器の進行方向が真っ直ぐな進行方向から左右に逸れた場合にも真っ直ぐな進行方向に矯正するために、前記空容器投入口４の両側には、空容器の姿勢制御板１１が前記外扉３の背面側に取り付けられている。
【００２８】
次に、内箱５について図３を参照しながら説明する。前記下部空間領域８ｂには、前記内箱５が取り付けられている。前記内箱５は複数の比較的薄い鋼板からなる箱形状で形成され、前面が開口した略直方状をなしている。
【００２９】
また、前記内箱５は内箱本体６と容器収容規制板７で構成され、前記容器収容規制板７は後述する空容器収納箱１３の蓋の機能を有し、前記内箱本体６の上部に溶接結合されているため前記内箱５の剛性強度向上にも寄与する。
【００３０】
さらに、図５に示すように、前記容器収容規制板７は、前記空容器の姿勢制御板１１より大きい幅で、前面が開口した上方に向けて突出した逆Ｕ字状の容器受容口７ａを有し、前記外扉３に設けてある前記空容器投入口４に連通する位置になるように形成され、前記容器受容口７ａの両端には前記内箱本体６の天井面を覆う幅で形成された左右の規制部７ｂを有している。
【００３１】
さらに、前記容器収容規制板７は、容器受容口７ａの上部前縁から上方に延在する取付け面７ｃを有しており、前記本体キャビネット２に設けられている前記仕切板１２の前面片１２ａと前記固定ネジ９により締結し固定するためのものである。
【００３２】
そして前記取付け面７ｃは、前記仕切板１２の前面片１２ａにある貫通孔（不図示）と対応する２ヶ所の貫通孔７ｄを有し、前記固定ネジ９により締結することにより前記本体キャビネット２に前記内箱５が固定される。
【００３３】
前記空容器収納箱１３は、複数の板金部品を接合することにより形成されている。また空容器を収納、回収するためのビニール袋などの空容器収納袋を上部から被せて前記空容器収納箱内に敷き詰めることができるように上部のみ開口している。そして空容器収納箱１３の底部領域は、図２に示すように前記内箱５の内部に収容され、前記内箱５の内部から引き出し、収納可能なサイズで形成されている。また空容器収納箱１３の上部領域の前壁は前方に張り出して形成されており、外扉３の背面に接近するように、前後壁面に持ち運び用の手懸穴が形成されている。
【００３４】
次に、前記空容器を前記空容器収納箱に収納する過程について図６を用いて説明する。図６は本発明の空容器収容ボックスを側面から見た詳細図である。図６に示すように、前記空容器は前記空容器投入口４から白抜き矢印で示す方向に投入され前記空容器収納箱１３に収納される。
【００３５】
つまり、前記空容器を投入する際は、前記外扉３に設けてある前記空容器投入口４から、前記外扉３の背面に取付けてある前記開閉蓋１０を押し開く。前記開閉蓋１０は左右両端を前記ピン１４で保持し付勢バネ（不図示）により常時前記空容器投入口４を閉塞するように構成されており、前記開閉蓋１０の前記付勢バネ（不図示）の閉塞反力より大きい外力を加えて押し開くことにより前記姿勢制御板１１、前記内箱５に取付けてある前記容器収容規制板７を介して前記空容器収納箱１３へ収納される。
【００３６】
また、前記容器収容規制板７は、前述したように前面が開口した上方に向けて突出した逆Ｕ字状の前記容器受容口７ａを有し、前記外扉３に設けてある前記空容器投入口４に連通する位置になるように形成され、前記容器受容口７ａの両端には前記内箱本体６の天井面を覆う幅で形成された左右の規制部７ｂを有しているため、前記容器受容口７ａと前記左右の規制部７ｂが、前記空容器収納箱１３に収納される前記空容器の蓋としての機能を有する。
【００３７】
また、上部前縁から上方に延在する取付け面７ｃを有しており、前記本体キャビネット２に設けられている前記仕切板１２の前面片１２ａと前記固定ネジ９により締結し、固定されているため、前記空容器収納箱１３に収納される前記空容器が満杯になっても前記容器収容規制板７が外れたりする心配が無く、前記空容器収納箱１３から前記空容器が溢れ出すことがない。
【００３８】
なお本発明の実施の形態では、空容器収納箱１３は複数の板金部品を接合して形成しているが、一体成型された絞り形状の板金部品或いは、樹脂成型されたプラスチックにより形成したものでもよい。
【００３９】
また本発明の実施の形態では、容器収容規制板７を内箱本体６と一体的に結合して内箱５として形成しているが、内箱５（内箱本体６）とは別個に形成して本体キャビネット２の内壁に固着してもよいものであり、実施の形態に限られるものではない。
【産業上の利用可能性】
【００４０】
以上のように本発明に係る空容器回収ボックスは、缶飲料・ペットボトル飲料などを販売する自動販売機以外のさまざまな自動販売機用の空容器回収ボックスとして有用である。
【符号の説明】
【００４１】
１・・・空容器回収ボックス、２・・・本体キャビネット、３・・・外扉、４・・・空容器投入口、５・・・内箱、６・・・内箱本体、７・・・容器収容規制板、７ａ・・・容器受容口、７ｂ・・・規制部、７ｃ・・・取付け面（前面）、７ｄ・・・貫通孔、８・・・空容器収容領域、８ａ・・・上部空間領域、  ８ｂ・・・下部空間領域、９・・・固定ネジ、１０・・・開閉蓋、１１・・・姿勢制御板、１２・・・仕切板、１２ａ・・・前面片、１２ｂ・・・背面片、１２ｃ・・・側面片、１３・・・空容器収納箱、  １４・・・ピン
【図１】
2012086973.tif 000003
【図２】
2012086973.tif 000004
【図３】
2012086973.tif 000005
【図４】
2012086973.tif 000006
【図５】
2012086973.tif 000007
【図６】
2012086973.tif 000008